(57)【要約】      （修正有）【課題】ブランコに乗っている子供などの着座者を適切に保護するブランコ用保護具を提供する。【解決手段】ブランコ用保護具１００は、着座者の背が当てられるシート状の背当て部１１０と、帯状を呈し、その一端が背当て部に設置され、他端がブランコの吊り部に対して着脱自在である複数の接続部１２０−１〜１２０−４と、を備える。複数の接続部は、背当て部の右上部、右下部、左上部、及び左下部のそれぞれに設置されている。ブランコ用保護具１００をあらかじめ着座者に装着する必要がなく、ブランコの吊り部に対して接続部を直接着脱するだけで、ブランコに着脱することができ、ブランコへの乗り降りが楽でブランコに乗っている着座者を適切に保護することができる。【選択図】図１
0003213142.tif 000002
【実用新案登録請求の範囲】
【請求項１】
ブランコの着座部に着座している着座者がブランコの吊り部から手を離して後ろに倒れそうになった際に保護するためのブランコ用保護具であって、
前記着座者の背が当てられるシート状の背当て部と、
帯状を呈し、その一端が前記背当て部に設置され、他端が前記吊り部に対して着脱自在である複数の接続部と、
を備え、
複数の前記接続部は、前記背当て部の右上部、右下部、左上部、及び左下部のそれぞれに少なくとも設置されていることを特徴とする、ブランコ用保護具。
【請求項２】
前記背当て部の右上部に設置される前記接続部の長さは、前記背当て部の右下部に設置される前記接続部の長さよりも長く、
前記背当て部の左上部に設置される前記接続部の長さは、前記背当て部の左下部に設置される前記接続部の長さよりも長いことを特徴とする、請求項１に記載のブランコ用保護具。
【請求項３】
複数の前記接続部は、それぞれ、前記他端付近に金属製のフックを有し、鎖状を呈する前記吊り部に前記フックが掛合されることを特徴とする、請求項１又は２に記載のブランコ用保護具。
【請求項４】
複数の前記接続部のうち、少なくとも、前記背当て部の右上部に設置される前記接続部、及び、前記背当て部の左上部に設置される前記接続部は、それぞれ、その長さを調整可能なトリグライドを有していることを特徴とする、請求項１〜３のいずれかに記載のブランコ用保護具。
【請求項５】
前記背当て部は、網状を呈する網状部を一箇所又は複数箇所に有することを特徴とする、請求項１〜４のいずれかに記載のブランコ用保護具。
【請求項６】
前記背当て部は、雄側ボタン部及び雌側ボタン部を所定箇所に有し、
前記背当て部を折り畳んでポーチ状にした状態で、前記雄側ボタン部が前記雌側ボタン部に係止されることを特徴とする、請求項１〜５のいずれかに記載のブランコ用保護具。
【考案の詳細な説明】
【技術分野】
【０００１】
本考案は、ブランコに乗っている者を保護するためのブランコ用保護具に関する。
【背景技術】
【０００２】
従来、ブランコに乗っている子供などの着座者を保護するためのブランコ用保護具として、特開２００２−０２８３７６号公報（特許文献１）に開示されるものが知られている。同文献に開示されるブランコ用保護具は、伸縮性の布を、着座者の腹部から股座を通し背部を捲回させ、肩掛けバンドで着座者の身体に装着するとともに、その装着した伸縮性の布をブランコの手摺と腰掛台に固着するものであった。
【先行技術文献】
【特許文献】
【０００３】
【特許文献１】特開２００２−０２８３７６号公報
【考案の概要】
【考案が解決しようとする課題】
【０００４】
しかしながら、特許文献１に開示されるようなブランコ用保護具では、ブランコへの乗り降りの度に、着座者に対してブランコ用保護具を装着したり外したりする必要があるため、ブランコへの乗り降りの作業が面倒であるという問題があった。
【０００５】
そこで、本考案は、このような問題に鑑みてなされたものであり、その目的とするところは、ブランコへの乗り降りが楽でブランコに乗っている着座者を適切に保護することの可能なブランコ用保護具を提供することにある。
【課題を解決するための手段】
【０００６】
前記した課題を解決するために、本考案によれば、ブランコの着座部に着座している着座者がブランコの吊り部から手を離して後ろに倒れそうになった際に保護するためのブランコ用保護具であって、前記着座者の背が当てられるシート状の背当て部と、帯状を呈し、その一端が前記背当て部に設置され、他端が前記吊り部に対して着脱自在である複数の接続部と、を備え、複数の前記接続部は、前記背当て部の右上部、右下部、左上部、及び左下部のそれぞれに少なくとも設置されていることを特徴とする、ブランコ用保護具が提供される。
【０００７】
かかる構成によれば、ブランコ用保護具をあらかじめ着座者に装着する必要がなく、ブランコの吊り部に対して接続部を直接着脱するだけで、ブランコに着脱することができる。このようにして、ブランコへの乗り降りが楽でブランコに乗っている着座者を適切に保護することができる。
【０００８】
本考案は、さまざまな応用が可能である。本考案の応用例は、任意に組み合わせることが可能である。
【０００９】
例えば、前記背当て部の右上部に設置される前記接続部の長さは、前記背当て部の右下部に設置される前記接続部の長さよりも長く、前記背当て部の左上部に設置される前記接続部の長さは、前記背当て部の左下部に設置される前記接続部の長さよりも長くしてもよい。かかる構成によれば、背当て部の張り具合などを適切に設定することができる。また、ブランコの吊り部の形状が特殊であっても取り付けられる可能性が高まる。
【００１０】
また、複数の前記接続部は、それぞれ、前記他端付近に金属製のフックを有し、鎖状を呈する前記吊り部に前記フックが掛合されるようにしてもよい。かかる構成によれば、金属製のフックを用いることにより、接続部の吊り部への着脱が容易であり、強固に取り付けられる。
【００１１】
また、複数の前記接続部のうち、少なくとも、前記背当て部の右上部に設置される前記接続部、及び、前記背当て部の左上部に設置される前記接続部は、それぞれ、その長さを調整可能なトリグライドを有していてもよい。背当て部の右上部及び左上部の接続部の長さをトリグライドで調整できるため、吊り部を適正な位置に接続することができるとともに、背当て部の張り具合などを適切に設定することができる。
【００１２】
また、前記背当て部は、網状を呈する網状部を一箇所又は複数箇所に有するようにしてもよい。背当て部が通気性のある網状部を有することにより、背当て部が風をはらんでブランコの抵抗になることを防止することができる。
【００１３】
また、前記背当て部は、雄側ボタン部及び雌側ボタン部を所定箇所に有し、前記背当て部を折り畳んでポーチ状にした状態で、前記雄側ボタン部が前記雌側ボタン部に係止されるようにしてもよい。ブランコ用保護具がポーチ状になるため、携帯が容易になる。
【考案の効果】
【００１４】
本考案によれば、ブランコへの乗り降りが楽でブランコに乗っている子供などの着座者を適切に保護することの可能なブランコ用保護具が提供される。本考案のその他の効果については、以下の考案を実施するための形態の項でも説明する。
【図面の簡単な説明】
【００１５】
【図１】ブランコ用保護具１００の全体構成を概略的に示す図である。
【図２】ブランコ用保護具１００をブランコに取り付けた状態を示す図である。
【図３】ブランコ用保護具１００の使用例を示す図である。
【図４】ブランコ用保護具１００を折り畳んだ状態を示す図である。
【考案を実施するための形態】
【００１６】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１７】
本考案の一実施形態について説明する。図１は、ブランコ用保護具１００の全体構成を概略的に示す図である。
【００１８】
本実施形態にかかるブランコ用保護具１００は、ブランコの着座部に着座している子供などの着座者がブランコの吊り部から手を離して後ろに倒れそうになった際に保護するためのものである。ブランコ用保護具１００は、図１に示したように、着座者の背が当てられるシート状の背当て部１１０と、帯状を呈し、その一端が背当て部１１０に設置され、他端がブランコの吊り部に対して着脱自在である複数の接続部１２０と、を備える。そして、複数の接続部１２０は、背当て部１１０の右上部、右下部、左上部、及び左下部のそれぞれに設置されている。以下、各構成要素について詳細に説明する。
【００１９】
（背当て部１１０）
背当て部１１０は、着座者がブランコに乗ったときに着座者の背が当てられる部分である。背当て部１１０は、図１に示したように、方形状のシート状の部材であり、一部が網状を呈する網状部１１２となっている。網状部１１２は方形状であり、周囲に形状保持部１１４が設けられている。なお、本実施形態では網状部１１２は、背当て部１１０に一箇所しか設けられていないが、複数個所に設けられていてもよい。
【００２０】
形状保持部１１４は、剛性の高い布で構成されており、上部及び下部の両端に接続部１２０が連結されている。形状保持部１１４の下部は幅広く構成されており、左右方向２か所に嵌合可能な雄側ボタン部１１６と雌側ボタン部１１８が設けられている。雄側ボタン部１１６と雌側ボタン部１１８は背当て部１１０を折り畳んでポーチ状にしたときに、その状態を維持するためのものである。この点についてはさらに後述する。
【００２１】
（接続部１２０）
接続部１２０は、背当て部１００をブランコに取り付けるためのものである。接続部１２０は、図１に示したように、背当て部１１０の右上部、右下部、左上部、及び左下部のそれぞれに設置されている。接続部１２０は、帯状を呈し、その一端が背当て部１１０に設置され、他端がブランコの吊り部に対して着脱自在である。
【００２２】
背当て部１１０の右上部に設置される接続部１２０−１の長さは、図１に示したように、背当て部１１０の右下部に設置される接続部１２０−２の長さよりも長い。また、背当て部１１０の左上部に設置される接続部１２０−３の長さは、背当て部１１０の左下部に設置される接続部１２０−４の長さよりも長い。
【００２３】
複数の接続部１２０は、図１に示したように、それぞれ、他端付近に金属製のフック１２２を有する。このフック１２２は、鎖状を呈するブランコの吊り部に掛合される。
【００２４】
複数の接続部１２０のうち、背当て部１１０の右上部に設置される接続部１２０−１、及び、背当て部１１０の左上部に設置される接続部１２０−３は、それぞれ、トリグライド１２４を有している。トリグライド１２４は、接続部１２０の長さを調整可能にするためのものである。
【００２５】
以上、ブランコ用保護具１００の構成を説明した。次に、ブランコ用保護具１００の使い方について、図２及び図３を参照しながら説明する。なお、以下の説明においてブランコ２００は、図２及び図３に示したように、着座者が着座するための着座部２１０と鎖状の吊り部２２０とを有する一般的なものである。
【００２６】
図２（ａ）は、ブランコ用保護具１００をブランコ２００に設置した状態を示す図である。背当て部１１０の右上部に設置される接続部１２０−１は、図２（ｂ）に示したように、接続部１２０−１の先端のフック１２２が、鎖状の吊り部２２０の適当な高さの鎖の一つに連結されている。また、背当て部１１０の右下部に設置される接続部１２０−２は、図２（ｃ）に示したように、接続部１２０−２の先端のフック１２２が、鎖状の吊り部２２０の最も下の鎖に連結されている。なお、接続部１２０−１の先端のフック１２２が連結される吊り部２２０の鎖は、任意の位置であるが、図２（ａ）に示したように、ブランコ用保護具１００が適切な張り状態を保てる位置に接続する。ブランコ用保護具１００の張りは、トリグライド１２４によってさらに調整することができる。
【００２７】
背当て部１１０の左上部に設置される接続部１２０−３と、背当て部１１０の左下部に設置される接続部１２０−４についても、接続部１２０−１、１２０−２と同様に設置される。背当て部１１０の左上部に設置される接続部１２０−３は、背当て部１１０の右上部に設置される接続部１２０−１と同じ高さに設置することができる。同様に、背当て部１１０の左下部に設置される接続部１２０−４は、背当て部１１０の右下部に設置される接続部１２０−２と同じ高さに設置することができる。
【００２８】
このように、ブランコ用保護具１００がブランコ２００に設置されることによって、背当て部１１０の下端は着座部２１０にほぼ接するように配置される。なお、背当て部１１０自体は、着座者の背中に触れないようにしたほうが、違和感なくブランコを楽しめる。
【００２９】
図３は、ブランコ用保護具１００が設置されたブランコ２００の着座部２１０に、着座者が着座している状態を示す。着座者はブランコ２００の吊り部２２０を両手で把持している。この状態で着座者はブランコを楽しむことができる。そして、ブランコ用保護具１００が設置されていることによって、着座者が吊り部２２０から手を放したとしても、背当て部１１０によって後ろに投げ出されることがない。
【００３０】
また、剛性の高い形状保持部１１４が着座者の腰からブランコ２００の着座部２１０にわたって配されるため、着座者は背当て部１１０と着座部２１０との間を通り抜けて滑り落ちることもない。
【００３１】
以上、ブランコ用保護具１００の使い方を説明した。このブランコ用保護具１００は、持ち運ぶときには、図４に示したように、背当て部１１０を折り畳んでポーチ状にした状態で、雄側ボタン部１１６と雌側ボタン部１１８とを係止する。これにより、ブランコ用保護具１００は、外側を覆う形状保持部１１４の内部に網状部１１２が収納された状態でポーチ状の形状が保持される。よって、持ち運びに便利である。
【００３２】
（本実施形態の効果）
以上説明したように、本実施形態のブランコ用保護具１００によれば、ブランコ用保護具１００をあらかじめ着座者に装着する必要がなく、ブランコ２００の吊り部２２０に対して接続部１２０を直接着脱するだけで、ブランコ２００に着脱することができる。このようにして、ブランコ２００への乗り降りが楽でブランコ２００に乗っている着座者を適切に保護することができる。
【００３３】
また、背当て１１０の右上部の接続部１２０−１を右下部の接続部１２０−２よりも長く構成し、左上部の接続部１２０−３を左下部の接続部１２０−４よりも長く構成することにより、背当て部１１０の張り具合などを適切に設定することができる。また、ブランコ２００の吊り部２２０の形状が特殊であっても取り付けられる可能性が高まる。
【００３４】
また、複数の接続部１１０は、それぞれ、他端付近に金属製のフック１２２を有し、鎖状を呈する吊り部２２０にフック１２２が掛合されるようにしたので、接続部１１０の吊り部２２０への着脱が容易であり、強固に取り付けられる。
【００３５】
また、背当て部１１０の右上部及び左上部の接続部１２０−１、１２０−３の長さをトリグライド１２４で調整できるため、接続部１２０−１、１２０−３を吊り部２２０の適正な位置に接続することができるとともに、背当て部１１０の張り具合などを適切に設定することができる。
【００３６】
また、背当て部１１０が通気性のある網状部１１２を有することにより、背当て部１１０が風をはらんでブランコ２００の抵抗になることを防止することができる。
【００３７】
また、ブランコ用保護具１００は、折り畳まれて雄側ボタン部１１６が雌側ボタン部１１８に係止されることによってポーチ状の形態が維持されるため、携帯が容易になる。
【００３８】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００３９】
例えば、上記実施形態では、複数の接続部１２０は、背当て部１１０の右上部、右下部、左上部、及び左下部のそれぞれに設置されている例について説明したが、本考案はこれに限定されない。背当て部１１０の右上部、右下部、左上部、及び左下部に少なくとも設置されていれば、その他の箇所にも接続部が設置されていてもよい。
【００４０】
また、上記実施形態では、背当て部１１０の右上部に設置される接続部１２０−１の長さは、背当て部１１０の右下部に設置される接続部１２０−２の長さよりも長く、背当て部１１０の左上部に設置される接続部１２０−３の長さは、背当て部１１０の左下部に設置される接続部１２０−４の長さよりも長い構成としたが、本考案はこの例に限定されない。各接続部１２０−１〜１２０−４の長さは任意でよい。
【００４１】
また、上記実施形態では、複数の接続部１２０は、それぞれ、他端付近に金属製のフック１２２を有し、鎖状を呈する吊り部２２０にフック１２２が掛合される構成としたが、本考案はこの例に限定されない。接続部と吊り部との接続は任意の構成とすることができる。例えば、接続部の先端を吊り部に結び付ける構成にしてもよい。
【００４２】
また、上記実施形態では、複数の接続部１２０のうち、少なくとも、背当て部１１０の右上部に設置される接続部１２０−１、及び、背当て部１１０の左上部に設置される接続部１２０−３は、それぞれ、その長さを調整可能なトリグライド１２４を有している構成としたが、本考案はこの例に限定されない。接続部１２０の長さを調整できない構成でもよい。また、接続部１２０の長さを調整できる場合でも、その長さの調整は必ずしもトリグライドを用いなくてもよい。また、接続部１２０の長さの調整は、必ずしも右上部と左上部のみに限定されない。
【００４３】
また、上記実施形態では、背当て部１１０は、網状を呈する網状部１１２を一箇所に設けたが、本考案は必ずしもこの例に限定されない。例えば、背当て部には、網状部を複数箇所に設けてもよい。あるいは、このような網状部を設けなくてもよい。
【００４４】
また、上記実施形態では、背当て部１１０は、雄側ボタン部１１６及び雌側ボタン部１１８を所定箇所に有し、背当て部１１０を折り畳んでポーチ状にした状態で、雄側ボタン部１１６が雌側ボタン部１１８に係止される構成としたが、本考案は必ずしもこの例に限定されない。ブランコ用保護具は、必ずしもポーチ状に折り畳まれる構成としなくてもよい。あるいは、ポーチ状等に折り畳まれる場合でも、その形状を維持するために面テープなど他の手段を用いてもよい。
【産業上の利用可能性】
【００４５】
本考案は、ブランコに乗っている者を保護するためのブランコ用保護具に利用可能である。
【符号の説明】
【００４６】
１００  ブランコ用保護具
１１０  背当て部
１１２  網状部
１１４  形状保持部
１１６  雄側ボタン部
１１８  雌側ボタン部
１２０（１２０−１〜１２０−４）  接続部
１２２  フック
１２４  トリグライド
２００  ブランコ
２１０  着座部
２２０  吊り部
【図１】
0003213142.tif 000003
【図２】
0003213142.tif 000004
【図３】
0003213142.tif 000005
【図４】
0003213142.tif 000006